(57)【要約】  【課題】バール等を用いても容易に破壊されることの無い、従来よりも強固な防盗性を持った自動販売機を提供する。  【解決手段】外扉２をこじ開けられた後に、キー６によって施錠された防盗扉３ｃがあり、その防盗扉３ｃを破壊するために防盗扉３ｃの周りの隙間にバール等の工具を挿入する。そして防盗扉３ｃをこじ開けようとするが、施錠部材１３ａと施錠部材１３ｂの複数の爪部１２ａと爪部１２ｂがそれぞれ係止している。その時の状態は爪部１２ａの先端が爪部１２ｂの谷部１５ａに、爪部１２ｂの先端が爪部１２ａの谷部１５ｂに掛かり合っていて、バール等の工具にて引きちぎろうとしても、容易に施錠を外すことができない。【選択図】図３
2007094498.tif 000002
【特許請求の範囲】
【請求項１】
自動販売機本体の前面に配置した外扉の裏面側で、外扉の補強材として左右方向に形成したステーと、ステーの下部に周囲を防盗板で覆った金銭処理装置を備え、前記金額処理装置の前面に防盗扉を備えた自動販売機において、前記防盗扉は前記防盗板と前記ステーとの隙間を覆うように一部張り出して形成したことを特徴とする自動販売機。
【請求項２】
外扉の裏面側に備えた金銭処理装置の周囲を防盗板、前面を防盗扉で覆った自動販売機において、前記防盗扉の側面部と対応する前記防盗板の側面部とに防盗扉施錠部材を備え、前記防盗扉施錠部材は上下方向に複数の爪部を互いに断続的に形成し、施錠動作に連動して前記爪部が上下方向に動作して施錠することを特徴とする自動販売機。
【請求項３】
上下方向に形成された防盗扉側の爪部の一端側と、防盗板側の爪部の他端側はふさがれていることを特徴とする請求項２に記載の自動販売機。
【請求項４】
外扉の表面側に備えた自動販売機本体の施錠装置で、前記施錠装置の施錠動作に連動して防盗扉施錠部材の施錠、開錠するようにしたことを特徴とする請求項２に記載の自動販売機。
【請求項５】
防盗扉施錠部材は防盗扉の内部に形成されたことを特徴とする請求項２から４のいずれか一項に記載の自動販売機。
【発明の詳細な説明】
【技術分野】
【０００１】
本発明は自動販売機の防盗装置に関するものである。
【背景技術】
【０００２】
近年、自動販売機においては破壊による金銭盗難が増加している。
【０００３】
従来の自動販売機の防盗装置としては特許文献１に示されているものがある。
【０００４】
以下、図面を参照しながら上記従来の自動販売機の防盗装置について説明する。図９は、従来の自動販売機の防盗扉の斜視図であり、図１０は、従来の自動販売機の正面斜視図である。図９、図１０に示すように、従来の自動販売機は、自動販売機本体１に軸支された外扉２と、外扉２に軸支された防盗扉３ａと、外扉２に内設され、防盗扉３ａに覆われた金銭処理装置であるコインメック４ａとビルバリデータ４ｂ、防盗扉３ａに設けられたロック５と、ロック５を操作するキー６とから構成されている。
【０００５】
以上のように構成された自動販売機について、以下その動作を説明する。
【０００６】
まず、自動販売機の外扉２が閉められている状態の時、キー６によってロック５を施錠させた防盗扉３ａによってコインメック４ａとビルバリデータ４ｂは覆われている。この時金銭を狙った犯行者が扉２を無理やりこじ開けても、コインメック４ａとビルバリデータ４ｂは防盗扉３ａによって保護されているため容易には金銭を盗み出すことは出来ない。
【特許文献１】特開平１１−３５３５４２号公報
【発明の開示】
【発明が解決しようとする課題】
【０００７】
しかしながら、従来の構成は、防盗扉３ａをキー６によってロック５にて施錠しているだけの簡単な構造であり、バール等工具を使用されると容易に破壊されるという欠点があった。
【０００８】
本発明は従来の課題を解決するもので、バール等を用いても容易に破壊されることの無い、従来よりも強固な防盗性を持った自動販売機を提供することを目的とする。
【課題を解決するための手段】
【０００９】
上記従来の課題を解決するために、本発明の自動販売機は、自動販売機本体の前面に配置した外扉の裏面側で、外扉の補強材として左右方向に形成したステーと、ステーの下部に周囲を防盗板で覆った金銭処理装置を備え、前記金額処理装置の前面に防盗扉を備えた自動販売機において、前記防盗扉は前記防盗板と前記ステーとの隙間を覆うように一部張り出して形成したものである。
【００１０】
これによって外扉をこじ開けられた後に、ステーと防盗板の隙間にバール等を挿入して防盗扉を破壊しようとした場合にでも、ステーの隙間を覆う張り出し部が邪魔で容易に挿入出来なく、また張り出し部により構造的に強度が強くなるため破壊を防止するという作用を有する。
【００１１】
また、本発明の自動販売機は、外扉の裏面側に備えた金銭処理装置の周囲を防盗板、前面を防盗扉で覆った自動販売機において、前記防盗扉の側面部と対応する前記防盗板の側面部とに防盗扉施錠部材を備え、前記防盗扉施錠部材は上下方向に複数の爪部を互いに断続的に形成し、施錠動作に連動して前記爪部が上下方向に動作して施錠したものである。
【００１２】
これによって外扉をこじ開けられた後に、防盗扉をこじ開けようとした場合にでも、複数の爪部が前後に互いに掛かっているために、それぞれの爪部が引っ掛かり容易に破壊されないという作用を有する。
【００１３】
また、本発明の自動販売機は、上下方向に形成された防盗扉側の爪部の一端側と、防盗板側の爪部の他端側を塞いだ塞ぎ部である。
【００１４】
これによって外扉をこじ開けられた後に、防盗扉をこじ開けようとした場合にでも、片側の爪部の端面と対面するもう一方の爪部のふさがっている端面とが上下に掛かっているために、さらに容易に破壊されなくなるという作用を有する。
【００１５】
また、本発明の自動販売機は、外扉の表面側に備えた自動販売機本体の施錠装置で、前記施錠装置の施錠動作に連動して防盗扉施錠部材の施錠、開錠するようにしたものである。
【００１６】
これによって外扉をこじ開けられた後に、前期記述のように容易に破壊されないという作用と、オペレーション優先のため鍵を取り付けていない場合にでも同性能を有するという作用を有する。
【００１７】
また、本発明の自動販売機は、防盗扉施錠部材は防盗扉の内部に形成したものである。
【００１８】
これによって外扉をこじ開けられた後に、施錠部材が外側にないため容易に破壊されないという作用を有する。
【発明の効果】
【００１９】
本発明の自動販売機は、バール等を用いても容易に破壊されることの無い、従来よりも強固な防盗性を持つことができる。
【発明を実施するための最良の形態】
【００２０】
請求項１に記載の発明は、自動販売機本体の前面に配置した外扉の裏面側で、外扉の補強材として左右方向に形成したステーと、ステーの下部に周囲を防盗板で覆った金銭処理装置を備え、前記金額処理装置の前面に防盗扉を備えた自動販売機において、前記防盗扉は前記防盗板と前記ステーとの隙間を覆うように一部張り出して形成したものから構成されているので、外扉をこじ開けられた後に、ステーと防盗板の隙間にバール等を挿入して防盗扉を破壊しようとした場合にでも、ステーの隙間を覆う張り出し部が邪魔で容易に挿入出来なく、また張り出し部により構造的に強度が強くなるため強固な防盗性を提供できる。
【００２１】
請求項２に記載の発明は、外扉の裏面側に備えた金銭処理装置の周囲を防盗板、前面を防盗扉で覆った自動販売機において、前記防盗扉の側面部と対応する前記防盗板の側面部とに防盗扉施錠部材を備え、前記防盗扉施錠部材は上下方向に複数の爪部を互いに断続的に形成し、施錠動作に連動して前記爪部が上下方向に動作して施錠することを備えることにより、外扉をこじ開けられた後に、防盗扉をこじ開けようとした場合にでも、複数の爪部が前後に互いに掛かっているために、それぞれの爪部が引っ掛かり容易に破壊されないため強固な防盗性を提供できる。
【００２２】
請求項３に記載の発明は、請求項２に記載の発明に、上下方向に形成された防盗扉側の爪部の一端側と、防盗板側の爪部の他端側を塞いだ塞ぎ部とから構成されているので、外扉をこじ開けられた後に、防盗扉をこじ開けようとした場合にでも、片側の爪部の端面と対面するもう一方の爪部のふさがっている端面とが上下に掛かっているために、さらに容易に破壊されない強固な防盗性を提供できる。
【００２３】
請求項４に記載の発明は、請求項２に記載の発明に、外扉の表面側に備えた自動販売機本体の施錠装置で、前記施錠装置の施錠動作に連動して防盗扉施錠部材の施錠、開錠するようにしたものを備えることにより、外扉をこじ開けられた後に、前期記述のように容易に破壊されないという作用と、オペレーション優先のためキーを取り付けていない場合にでも同じ性能を提供できる。
【００２４】
請求項５に記載の発明は、請求項２から４のいずれか一項に記載の発明に、防盗扉施錠部材は防盗扉の内部に形成したものであるため、扉をこじ開けられた後に、施錠部材が外側にないため容易に破壊されない防盗性を提供できる。
【００２５】
以下、本発明の実施の形態について図面を参照しながら説明するが、従来例または先に説明した実施の形態と同一構成については同一符号を付して、その詳細な説明は省略する。なお、この実施の形態によってこの発明が限定されるものではない。
【００２６】
（実施の形態１）
図１は、本発明の実施の形態１による自動販売機の防盗扉閉時の斜視図である。図２は本発明の実施の形態１による自動販売機の防盗扉閉時の側面図である。
【００２７】
図１，２に示すように、外扉２は自動販売機本体１の前面に軸支されており、外扉２の左右方向には補強材としてステー７が設けられている。そのステー７の下部には外扉２に内設された防盗板８が内設されており、その防盗板８には金銭処理装置であるコインメック４ａとビルバリデータ４ｂが取り付いている。金銭処理装置の前面には外扉２に軸支された防盗扉３ｂが設けられており、その防盗扉３ｂには防盗板８とステー７との隙間を覆う張り出し形状９が設けられている。防盗扉３ｂにはロック５が取り付けられていて、そのロック５はキー６によって操作され施錠される。
【００２８】
以上にように構成された自動販売機について、以下その動作、作用を説明する。
【００２９】
まず、金銭を盗む目的で外扉２をこじ開けられた後に、ロック５によって施錠された防盗扉３ｂがあり、その防盗扉３ｂを破壊するために防盗扉３ｂの周りの隙間にバール等の工具を挿入しようとする。その際に隙間は張り出し形状９にて覆われていることや、その張り出し形状９が山型になっていることにより強固なため変形しにくくなっていることや、張り出し形状９が斜めになっていることで工具の先が滑り、力が分散されることにより、容易にはバール等を挿入することができず、よって防盗扉３ｂは容易には破壊されない。
【００３０】
以上のように本実施の形態の自動販売機は自動販売機本体１の前面に配置した外扉２の裏面側で、外扉２の補強材として左右方向に形成したステー７と、ステー７の下部に周囲を防盗板８で覆った金銭処理装置４ａ、４ｂを備え、金額処理装置４ａ，４ｂの前面に防盗扉３ｂを備えた自動販売機において、防盗扉３ｂは防盗板８とステー７との隙間を覆うように一部張り出して形成したもの９から構成されているので、外扉２をこじ開けられた後に、ステー７と防盗板８の隙間にバール等を挿入して防盗扉３ｂを破壊しようとした場合にでも、ステー７の隙間を覆う張り出し形状９が邪魔で容易に挿入出来なく、また張り出し形状９により構造的に強度が強くなるため強固な防盗性を提供できる。
【００３１】
（実施の形態２）
図３は、本発明の実施の形態２による自動販売機の防盗扉開時の斜視図である。図４は本発明の実施の形態２による自動販売機の防盗扉閉時の平面図である。図５は、本発明の実施の形態２による自動販売機の防盗扉閉時の側面図である。図６は、本発明の実施の形態２による自動販売機の防盗扉開時の防盗部材の状態の背面図である。
【００３２】
図３、図４、図５、図６において外扉２は自動販売機本体１の前面に軸支されており、外扉２には裏側に防盗板８が内設されており、その防盗板８には金銭処理装置であるコインメック４ａとビルバリデータ４ｂが取り付いている。金銭処理装置４ａ、４ｂの前面には外扉２に軸支された防盗扉３ｃが設けられている。防盗扉３ｃにはキー６が取り付けられていて、そのキー６は防盗扉３ｃの側面に長穴１０ａを通してビス１１をかいして取り付いている、連続的に複数の爪部１２ａを形成した上下方向に摺動可能な施錠部材１３ａと、リンク１４を長穴１０ｂに掛けることで連動している。施錠部材１３ａはその対応する位置である、防盗板８の側面部に設けられた、連続的に複数の爪部１２ｂを形成した施錠部材１３ｂと、それぞれの爪部１２ａと爪部１２ｂを係止している。
【００３３】
以上のように構成された自動販売機について、以下その動作、作用を説明する。
【００３４】
まず、金銭を盗む目的で外扉２をこじ開けられた後に、キー６によって施錠された防盗扉３ｃがあり、その防盗扉３ｃを破壊するために防盗扉３ｃの周りの隙間にバール等の工具を挿入する。そして防盗扉３ｃをこじ開けようとするが、施錠部材１３ａと施錠部材１３ｂの複数の爪部１２ａと爪部１２ｂがそれぞれ係止している。その時の状態は爪部１２ａの先端が爪部の谷部１５ａに、爪部１２ｂの先端が爪部の谷部１５ｂに掛かり合っていて、バール等の工具にて引きちぎろうとしても、容易に施錠を外すことができない。
【００３５】
なお、オペレーターが金銭の回収を行う場合にはキー６を回転させて、施錠部材１３ａがビス１１にそって長穴１０ａの範囲にて摺動し、爪部１２ａが爪部１２ｂ間に位置した時に防盗扉３ｃを開けて作業する。
【００３６】
以上のように本実施の形態の自動販売機は、外扉２の裏面側に備えた金銭処理装置４ａ、４ｂの周囲を防盗板８、前面を防盗扉３ｃで覆った自動販売機において、防盗扉３ｃの側面部と対応する防盗板８の側面部とに防盗扉施錠部材１３ａ、１３ｂを備え、防盗扉施錠部材１３ａ、１３ｂは上下方向に複数の爪部１２ａ、１２ｂを互いに断続的に形成し、施錠動作に連動して爪部１２ａが上下方向に動作して施錠することを備えることにより、外扉２をこじ開けられた後に、防盗扉３ｃをこじ開けようとした場合にでも、複数の爪部１２ａ、１２ｂが前後に互いに掛かっているために、それぞれの爪部１２ａ、１２ｂが引っ掛かり容易に破壊されないため強固な防盗性を提供できる。また、金銭管理者と商品管理者を別にしたい場合にも外扉２とは別に防盗扉３ｃが施錠されているため金銭管理を間違いの無い様に徹底できる。
【００３７】
（実施の形態３）
図３は、本発明の実施の形態３による自動販売機の防盗扉開時の斜視図である。図４は本発明の実施の形態３による自動販売機の防盗扉閉時の平面図である。図５は、本発明の実施の形態３による自動販売機の防盗扉閉時の側面図である。図６は、本発明の実施の形態３による自動販売機の防盗扉開時の防盗部材の状態の背面図である。
【００３８】
図３、図４、図５、図６に示すように１６ａは防盗扉３ｃ側の爪部１２ａの一端側を塞いだ塞ぎ部であり、１６ｂは防盗板８側の爪部１２ｂの他端側を塞いだ塞ぎ部であり、１７ａは爪部１２ａの端面、１７ｂは爪部１２ｂの端面である。
【００３９】
本実施の形態は、実施の形態２による自動販売機に、さらに上下方向に形成された防盗扉３ｃ側の爪部１２ａの一端側を塞いだ塞ぎ部１６ａと、防盗板８側の爪部１２ｂの他端側を塞いだ塞ぎ部１６ｂを設けたものである。
【００４０】
以上にように構成された自動販売機について、以下その動作、作用を説明する。
【００４１】
まず、金銭を盗む目的で外扉２をこじ開けられた後に、ロックによって施錠された防盗扉３ｃがあり、その防盗扉３ｃを破壊するために防盗扉３ｃの周りの隙間にバール等の工具を挿入する。そして防盗扉３ｃをこじ開けようとするが、施錠部材１３ａと施錠部材１３ｂの複数の爪部１２ａと爪部１２ｂがそれぞれ係止している。
【００４２】
その時の状態は爪部１２ａの先端が爪部１２ｂの谷部１５ａに、爪部１２ｂの先端が爪部の谷部１５ｂに掛かり合っていて、バール等の工具にて引きちぎろうとしても、容易に施錠を外すことができない。しかし、それでも工具にてさらに力を加えると、爪部１２ａ、１２ｂの掛かりが外れない代わりに施錠部材１３ａ、１３ｂが爪部１２ａ、１２ｂの掛かり方向と垂直方向に変形していこうとする。
【００４３】
この時、防盗扉３ｃ側の爪部１２ａの一端側を塞いだ塞ぎ部１６ａと対抗する爪部端面１７ｂ、防盗板８側の爪部１２ｂの他端側を塞いだ塞ぎ部１６ｂと対向する爪部端面１７ａがそれぞれ掛かり合いその変形を防止する。この時、一端側を塞いだ塞ぎ部１６ａは施錠装部材１３ａが解錠する時に摺動する方向側にある。
【００４４】
以上のように本実施の形態の自動販売機は、上下方向に形成された防盗扉３ｃ側の爪部１２ａの一端側を塞いだ塞ぎ部１６ａと、防盗板８側の爪部１２ｂの他端側を塞いだ塞ぎ部１６ｂとから構成されているので、外扉２をこじ開けられた後に、防盗扉３ｃをこじ開けようとした場合にでも、片側の爪部１２ａ、１２ｂの端面と対面するもう一方の爪部１２ａ、１２ｂの塞いだ塞ぎ部１６ａ、１６ｂとが上下に掛かっているために、さらに容易に破壊されない強固な防盗性を提供できる。
【００４５】
（実施の形態４）
図７は、本発明の実施の形態４による自動販売機の防盗扉開時の斜視図である。図８は本発明の実施の形態４による自動販売機の防盗扉閉時の平面図である。
【００４６】
図７、図８において外扉２には外扉２の施錠装置１８がハンドル１９に連動する様に取り付けられ、上下方向に摺動する施錠装置１８は防盗板８の正面に長穴１０ｃを通してビス１１をかいして取り付いている、連続的に複数の爪部１２ｃを形成した上下方向に摺動可能な施錠部材１３ｃと連動している。施錠部材１３ｃはその対応する位置である、防盗扉３ｄの側面部に設けられた、連続的に複数の爪部１２ｄを形成した施錠部材１３ｄとそれぞれの爪部１２ｃと爪部１２ｄを係止している。本実施の形態は、実施の形態２による自動販売機を、施錠装置１８に連動して施錠部材１３ｃ、１３ｄを施錠、解錠させるようにしたものである。
【００４７】
以上のように構成された自動販売機について、以下その動作、作用を説明する。
【００４８】
まず、金銭を盗む目的で外扉２をこじ開けられた後に、ロックハンドル１９によって施錠された防盗扉３ｄがあり、その防盗扉３ｄを破壊するために防盗扉３ｄの周りの隙間にバール等の工具を挿入する。そして防盗扉３ｄをこじ開けようとするが、施錠部材１３ｃと施錠部材１３ｄの複数の爪部１２ｃと爪部１２ｄがそれぞれ係止している。その時の状態は爪部１２ｃの先端が爪部の谷部１５ｃに、爪部１２ｄの先端が爪部の谷部１５ｄに掛かり合っていて、バール等の工具にて引きちぎろうとしても、容易に施錠を外すことができない。
【００４９】
なお、外扉２を開ける際ハンドル１９により施錠装置１８が摺動して、その動きに連動して施錠部材１３ｃがビス１１にそって長穴１０ｃの範囲にて摺動し、爪部１２ｃが爪部１２ｄ間に位置した時に施錠部材１３ｃが止まるようになっている。このことにより、オペレーターが金銭の回収を行う場合には、防盗扉３ｄ用の解錠作業をせず作業することができる。
【００５０】
以上のように本実施形態の自動販売機は、外扉２の表面側に備えた自動販売機本体１の施錠装置１８で、施錠装置１８の施錠動作に連動して防盗扉施錠部材１３ｃ、１３ｄの施錠、開錠するようにしたものを備えることにより、外扉２をこじ開けられた後に、前期記述のように容易に破壊されないという作用と、オペレーション優先のためキー６を取り付けていない場合にでも同じ性能を提供できる。
【００５１】
（実施の形態５）
図３は、本発明の実施の形態５による自動販売機の防盗扉開時の斜視図である。図４は本発明の実施の形態５による自動販売機の防盗扉閉時の平面図である。図５は、本発明の実施の形態５による自動販売機の防盗扉閉時の側面図である。図６は、本発明の実施の形態５による自動販売機の防盗扉開時の防盗部材の状態の背面図である。図７は、本発明の実施の形態５による自動販売機の防盗扉開時の斜視図である。
【００５２】
図８は、本発明の実施の形態５による自動販売機の防盗扉閉時の平面図である。
【００５３】
本実施の形態は、実施の形態２又は３又は４いずれかによる自動販売機を、施錠部材１３ａ、１３ｂ、１３ｃ、１３ｄを防盗扉３ｃ、３ｄの内部に設けたものである。
【００５４】
以上のように構成された自動販売機について、以下その動作、作用を説明する。
【００５５】
まず、金銭を盗む目的で外扉２をこじ開けられた後に、キー６又はハンドル１８によって施錠された施錠部材１３ａ、１３ｂ、１３ｃ、１３ｄが内部に設けられた防盗扉３ｃ、３ｄがあり、その防盗扉３ｃ、３ｄを破壊するために防盗扉３ｃ、３ｄの周りの隙間にバール等の工具を挿入する。そして防盗扉３ｃ、３ｄをこじ開けようとするが、施錠部材１３ａ、１３ｂ、１３ｃ、１３ｄが内部に設けられていて、なおかつ施錠部材１３ａ、１３ｃと施錠部材１３ｂ、１３ｄの複数の爪部１２ａ、１２ｃと爪部１２ｂ、１２ｄがそれぞれ係止している。その時の状態は爪部１２ａ、１２ｃの先端が爪部１２ｂ、１２ｄの谷部１５ａ、１５ｃに、爪部１２ｂ、１２ｄの先端が爪部１２ａ、１２ｃの谷部１５ｂ、１５ｄに掛かり合っていて、バール等の工具にて引きちぎろうとしても、容易に施錠を外すことができない。
【００５６】
以上のように本実施の形態の自動販売機は、防盗扉施錠部材１３ａ、１３ｂ、１３ｃ、１３ｄを防盗扉３ｃ、３ｄの内部に形成したものであり、外扉２をこじ開けられた後に、施錠部材１３ａ、１３ｂ、１３ｃ、１３ｄが外側にないため容易に破壊されない防盗性を提供できる。
【産業上の利用可能性】
【００５７】
以上のように、本発明にかかる自動販売機は、金銭処理装置を覆う防盗扉が従来よりも強固となり、バール等を用いても容易に破壊されなくなることにより、市場に設置しても金銭を盗難されにくくなり被害を防ぐことができる。
【図面の簡単な説明】
【００５８】
【図１】本発明による自動販売機の実施の形態１の防盗扉閉時の斜視図
【図２】本発明による自動販売機の実施の形態１の防盗扉閉時の側面図
【図３】本発明による自動販売機の実施の形態２、３、５の防盗扉開時の斜視図
【図４】本発明による自動販売機の実施の形態２、３、５の防盗扉閉時の平面図
【図５】本発明による自動販売機の実施の形態２、３、５の防盗扉閉時の側面図
【図６】本発明による自動販売機の実施の形態２、３、５の防盗扉開時の防盗部材の状態の背面図
【図７】本発明による自動販売機の実施の形態４、５の防盗扉開時の斜視図
【図８】本発明による自動販売機の実施の形態４、５の防盗扉閉時の平面図
【図９】従来の自動販売機の防盗扉の斜視図
【図１０】従来の自動販売機の正面斜視図
【符号の説明】
【００５９】
１    自動販売機本体
２    外扉
３ｂ，３ｃ，３ｄ  防盗扉
４ａ  金銭処理装置（コインメック）
４ｂ  金銭処理装置（ビルバリデータ）
７    ステー
８    防盗板
９    張り出し形状
１２ａ，１２ｂ，１２ｃ，１２ｄ  爪部
１３ａ，１３ｂ，１３ｃ，１３ｄ  施錠部材
１６ａ，１６ｂ  爪部一端側を塞いだ塞ぎ部
１８  施錠装置
【図１】
2007094498.tif 000003
【図２】
2007094498.tif 000004
【図３】
2007094498.tif 000005
【図４】
2007094498.tif 000006
【図５】
2007094498.tif 000007
【図６】
2007094498.tif 000008
【図７】
2007094498.tif 000009
【図８】
2007094498.tif 000010
【図９】
2007094498.tif 000011
【図１０】
2007094498.tif 000012